(57)【要約】【課題】本発明は、ディスプレイ駆動装置に関する。【解決手段】本発明はディスプレイ装置、特にディスプレイ装置に使用されるバックライトユニット駆動装置において、映像信号が正常である場合には映像信号の周波数に同期された周波数を有する駆動信号を提供し、映像信号が異常状態である場合には予め設定された周波数を有する駆動信号を提供して、安定的な動作を行うため、入力された映像信号の周波数と分周された駆動信号の周波数の差を検出する周波数検出部と、上記周波数検出部からの検出結果により、上記映像信号の周波数と同期された周波数を有する上記駆動信号を生成する駆動信号生成部と、上記周波数検出部からの上記検出結果が異常動作である場合、上記周波数検出部の周波数検出動作を停止させる制御部とを含むディスプレイ駆動装置を提供する。【選択図】図１
2010128494.tif 000002
【特許請求の範囲】
【請求項１】
入力された映像信号の周波数と分周された駆動信号の周波数の差を検出する周波数検出部と、
前記周波数検出部からの検出結果により、前記映像信号の周波数と同期された周波数を有する前記駆動信号を生成する駆動信号生成部と、
前記周波数検出部からの前記検出結果が異常動作である場合、前記周波数検出部の周波数検出動作を停止させる制御部と、
を含むことを特徴とするディスプレイ駆動装置。
【請求項２】
前記駆動信号生成部は、前記周波数検出部からの検出結果が正常動作である場合、前記駆動信号の周波数を前記映像信号の周波数に同期させ、前記周波数検出部からの検出結果が異常動作である場合、前記駆動信号の周波数を予め設定された周波数に決定することを特徴とする請求項１に記載のディスプレイ駆動装置。
【請求項３】
前記制御部は、
前記映像信号が入力されると前記制御部の制御動作を準備させる初期化部と、  
前記検出結果の電圧レベルが予め設定された電圧レベル範囲であるかどうか比較する比較部と、
前記比較部の比較結果が異常動作である場合、前記周波数検出部をリセットさせ、前記駆動信号生成部の同期化動作を中断させる同期化制御部と、
を含むことを特徴とする請求項２に記載のディスプレイ駆動装置。
【請求項４】
前記初期化部は、前記映像信号と予め設定されたハイ(Ｈｉｇｈ)レベル信号の入力を夫々受け、制御動作を準備させる動作準備信号を出力する少なくともひとつの論理回路を有することを特徴とする請求項３に記載のディスプレイ駆動装置。
【請求項５】
前記同期化制御部は、
予め設定された周期を有するクロック信号と、前記動作準備信号を論理演算し制御開始を知らせる制御開始信号を出力する第１論理回路と、
前記異常動作を知らせる異常動作信号、前記制御開始信号及び反転された前記クロック信号を論理演算し、異常動作結果信号を出力する第２論理回路と、
前記異常動作結果信号、前記制御開始信号及び前記クロック信号を論理演算し、前記第２論理回路をリセットさせるリセット信号を出力する第３論理回路と、  
前記リセット信号と前記比較部からの比較結果を論理積し、その結果を前記第２論理回路に伝達する第１論理積ゲートと、
前記動作準備信号と反転された前記リセット信号を論理積し、前記周波数検出部の充放電制御動作を中断または再開させる動作制御信号を出力する第２論理積ゲートと、
を含むことを特徴とする請求項４に記載のディスプレイ駆動装置。
【請求項６】
前記同期化制御部は、
前記クロック信号を反転させ前記第２論理回路に伝達する第１インバータと、
前記第１インバータからの反転されたクロック信号を再反転し、前記第３論理回路に伝達する第２インバータと、
をさらに含むことを特徴とする請求項５に記載のディスプレイ駆動装置。
【請求項７】
前記駆動信号生成部は、
前記周波数検出部からの充放電制御により予め設定された電流を充放電し、基準電圧を設定するチャージポンプと、
前記チャージポンプからの前記基準電圧により決定された周波数を有する前記駆動信号を生成する電圧制御オシレータと、
前記電圧制御オシレータからの前記駆動信号を予め設定された分周比により分周し、前記周波数検出部にフィードバックさせるデバイダと、
を含むことを特徴とする請求項６に記載のディスプレイ駆動装置。
【請求項８】
前記駆動信号生成部は、前記制御部により前記周波数検出部の動作が停止された場合、前記駆動信号の周波数を設定するＲＣ発振回路をさらに含むことを特徴とする請求項７に記載のディスプレイ駆動装置。
【発明の詳細な説明】
【技術分野】
【０００１】
本発明は、ディスプレイ駆動装置に関するもので、より詳細にはディスプレイ装置、特にディスプレイ装置に使用されるバックライトユニット駆動装置において、映像信号が正常である場合には映像信号の周波数に同期された周波数を有する駆動信号を提供して、映像信号が異常状態である場合には予め設定された周波数を有する駆動信号を提供し安定的な動作を行うことができるディスプレイ駆動装置に関する。
【背景技術】
【０００２】
最近、軽薄短小化という長所により、モニター、テレビジョン等の多様なディスプレイ装置に液晶表示装置（Ｌｉｑｕｉｄ  Ｃｒｙｓｔａｌ  Ｄｉｓｐｌａｙ；ＬＣＤ）が大部分採用される傾向にある。
【０００３】
このようなＬＣＤ製品には、ＬＣＤのランプを点灯し必要な光を出力するバックライトユニット駆動装置が必須的に採用される。
【０００４】
一方、ＬＣＤ製品には、映像ボードに使用される水平同期信号と垂直同期信号が採用される。上述した水平同期信号と垂直同期信号は異なる周波数を有し、上記水平同期信号の周波数及び垂直同期信号の周波数は、上記ランプの駆動信号の周波数及びランプの明るさ信号の周波数との干渉を引き起こし、ＬＣＤ製品にウォーターフォール(Ｗａｔｅｒ  Ｆａｌｌ)現象またはフリッカー(Ｆｌｉｃｋｅｒ)現象を発生しうる。
【０００５】
このような、ウォーターフォール現象またはフリッカー現象の発生を防止するための方法の一環として、水平同期信号の周波数とランプ駆動信号の周波数を同期化させる方法が一般的に使用される。
【０００６】
しかし、水平同期信号が異常動作する場合、ランプ駆動信号の周波数は水平同期信号の周波数と同期されるために異常動作することがあり、これによりランプ駆動に関する異常動作が発生しうるという問題点がある。
【発明の概要】
【発明が解決しようとする課題】
【０００７】
上述した問題点を解決するため、本発明の目的は、ディスプレイ装置、特にディスプレイ装置に使用されるバックライトユニット駆動装置において、映像信号が正常である場合には、映像信号の周波数に同期された周波数を有する駆動信号を提供し、映像信号が異常状態である場合には、予め設定された周波数を有する駆動信号を提供して、安定的な動作を行うことができるディスプレイ駆動装置を提供することである。
【課題を解決するための手段】
【０００８】
上述した目的を達成するため、本発明の一技術的な側面は、入力された映像信号の周波数と分周された駆動信号の周波数の差を検出する周波数検出部と、上記周波数検出部からの検出結果により、上記映像信号の周波数と同期された周波数を有する上記駆動信号を生成する駆動信号生成部と、上記周波数検出部からの上記検出結果が異常動作である場合、上記周波数検出部の周波数検出動作を停止させる制御部とを含むことを特徴とするディスプレイ駆動装置を提供することである。
【０００９】
本発明の一技術的な側面によると、上記駆動信号生成部は、上記周波数検出部からの検出結果が正常動作である場合、上記駆動信号の周波数を上記映像信号の周波数に同期させ、上記周波数検出部からの検出結果が異常動作である場合、上記駆動信号の周波数を予め設定された周波数に決定することができる。
【００１０】
本発明の一技術的な側面によると、上記制御部は、上記映像信号が入力されると上記制御部の制御動作を準備させる初期化部と、上記検出結果の電圧レベルが予め設定された電圧レベル範囲であるかどうかを比較する比較部と、上記比較部の比較結果が異常動作である場合、上記周波数検出部をリセットさせ、上記駆動信号生成部の同期化動作を中断させる同期化制御部を含むことができる。
【００１１】
本発明の一技術的な側面によると、上記初期化部は、上記映像信号と予め設定されたハイ(Ｈｉｇｈ)レベル信号の入力を夫々受けて制御動作を準備させる動作準備信号を出力する少なくともひとつの論理回路を有することができる。
【００１２】
本発明の一技術的な側面によると、上記同期化制御部は、予め設定された周期を有するクロック信号と上記動作準備信号を論理演算し、制御開始を知らせる制御開始信号を出力する第１論理回路と、上記異常動作を知らせる異常動作信号、上記制御開始信号、及び反転された上記クロック信号を論理演算し、異常動作結果信号を出力する第２論理回路と、上記異常動作結果信号、上記制御開始信号、及び上記クロック信号を論理演算し、上記第２論理回路をリセットさせるリセット信号を出力する第３論理回路と、上記リセット信号と上記比較部からの比較結果を論理積し、その結果を上記第２論理回路に伝達する第１論理積ゲートと、上記動作準備信号と反転された上記リセット信号を論理積し、上記周波数検出部の充放電制御動作を中断または再開させる動作制御信号を出力する第２論理積ゲートを含むことができる。
【００１３】
本発明の一技術的な側面によると、上記同期化制御部は、上記クロック信号を反転させ上記第２論理回路に伝達する第１インバータと、上記第１インバータからの反転されたクロック信号を再反転し上記第３論理回路に伝達する第２インバータをさらに含むことができる。
【００１４】
本発明の一技術的な側面によると、上記駆動信号生成部は、上記周波数検出部からの充放電制御により予め設定された電流を充放電して基準電圧を設定するチャージポンプと、上記チャージポンプからの上記基準電圧により決定された周波数を有する上記駆動信号を生成する電圧制御オシレータと、上記電圧制御オシレータからの上記駆動信号を予め設定された分周比により分周し、上記周波数検出部にフィードバックさせるデバイダを含むことができる。
【００１５】
本発明の一技術的な側面によると、上記駆動信号生成部は、上記制御部により上記周波数検出部の動作が停止された場合、上記駆動信号の周波数を設定するＲＣ発振回路をさらに含むことができる。
【発明の効果】
【００１６】
本発明によると、映像信号が正常である場合には映像信号に同期された駆動信号を提供し、映像信号が異常状態である場合には予め設定された駆動信号を提供し、安定的な動作を行うことができるという効果がある。
【図面の簡単な説明】
【００１７】
【図１】本発明のディスプレイ駆動装置の概略的な構成図である。
【図２】本発明のディスプレイ駆動装置に採用された制御部の詳細構成図である。
【図３】本発明のディスプレイ駆動装置に使用される各信号のタイミングチャートである。
【発明を実施するための形態】
【００１８】
以下、図面を参照して本発明を詳細に説明する。
【００１９】
図１は、本発明のディスプレイ駆動装置の概略的な構成図である。
【００２０】
図１を参照すると、本発明のディスプレイ駆動装置１００は、周波数検出部１１０、駆動信号生成部１２０及び制御部１３０を含むことができる。
【００２１】
周波数検出部１１０は、外部の映像ボードから入力された映像信号と分周された駆動信号との周波数の差を検出する。
【００２２】
駆動信号生成部１２０は、検出結果により決定される周波数を有する上記駆動信号を生成する。
【００２３】
駆動信号生成部１２０は、チャージポンプ１２１、電圧制御オシレータ１２２、デバイダ１２３、及びＲＣ発振回路１２４を具備することができる。
【００２４】
チャージポンプ１２１は、周波数検出部１１０からの検出結果により予め設定された電流を充放電し基準電圧を提供する。
【００２５】
電圧制御オシレータ１２２は、チャージポンプ１２１からの上記基準電圧によって周波数が決定される上記駆動信号を生成する。
【００２６】
デバイダ１２３は、電圧制御オシレータ１２２からの上記駆動信号を予め設定された分周比により分周し周波数検出部１１０に伝達する。
【００２７】
ＲＣ発振回路１２４は、抵抗とキャパシタから成り、上記抵抗とキャパシタの間の発振により周波数を形成する。形成された周波数は上記駆動信号の周波数に使用される。すなわち、電圧制御オシレータ１２２はチャージポンプ１２１からの上記基準電圧により可変する周波数を有する上記駆動信号を生成し上記映像信号の周波数に同期された駆動信号を生成するが、上記映像信号に異常が発生する場合、ＲＣ発振回路１２４により設定される周波数を有する駆動信号を生成する。
【００２８】
上述した映像信号の異常の可否の判断は制御部１３０において行う。
【００２９】
制御部１３０は、上記映像信号の異常の可否を判断し電圧制御オシレータ１２２の周波数同期化動作を制御する。
【００３０】
これによって、制御部１３０はチャージポンプ１２１からの上記基準電圧の入力を受け、入力された基準電圧の電圧レベルが予め設定された電圧範囲内にあるかどうかを比較し、上記基準電圧の電圧レベルが上記電圧範囲内にあれば入力された映像信号を正常と判定し、上記基準電圧の電圧レベルが上記電圧範囲外にあれば入力された映像信号を異常と判定する。
【００３１】
入力された映像信号が異常と判定されると、制御部１３０は周波数検出部１１０の動作を停止させ、電圧制御オシレータ１２２の周波数同期化動作を停止させる。
【００３２】
すなわち、制御部１３０は、周波数検出部１１０の周波数検出動作を停止させると、チャージポンプ１２１から上記基準電圧を電圧制御オシレータ１２２に提供することができず、これにより電圧制御オシレータ１２２は、ＲＣ発振回路１２４により設定された周波数を有する駆動信号を生成する。
【００３３】
これによって、制御部１３０は、映像信号の異常の可否によって周波数同期化動作を再開または停止させ、ランプ駆動における異常動作を防止することができる。
【００３４】
図面を参照し、上述した制御部の詳細な構成及び動作について説明する。
【００３５】
図２は、本発明のディスプレイ駆動装置に採用された制御部の詳細な構成図で、図３は、本発明のディスプレイ駆動装置に使用される各信号のタイミングチャートである。
【００３６】
図２及び図３を参照すると、本発明の制御部１３０は初期化部１３１、比較部１３２及び同期化制御部１３３を含む。
【００３７】
初期化部１３１は、少なくともひとつのロジック回路で構成されることができ、上記ロジック回路は映像信号ＭＳｙｎｃが入力されるＣＫ端子と、予め設定されたハイ(Ｈｉｇｈ)レベル信号Ｈが夫々入力されるＤ端子及びＣＬ端子と、映像信号ＭＳｙｎｃとハイレベル信号Ｈを論理演算し、制御動作を準備させる動作準備信号ＣＬＫ＿ＲＤＹを出力するＱ端子を有する。
【００３８】
図３のタイミングチャートのように、初期化部１３１は、映像信号ＭＳｙｎｃが入力されると映像信号ＭＳｙｎｃとハイレベル信号Ｈを論理演算し、ハイ(Ｈｉｇｈ)レベルの動作準備信号ＣＬＫ＿ＲＤＹを同期化制御部１３３に伝達する。
【００３９】
比較部１３２は少なくとも二つの比較器を具備し、二つの比較器の夫々には、予め設定された電圧レベルを有する第１電圧と、上記第１電圧の電圧レベルよりさらに高く設定された電圧レベルを有する第２電圧が印加され、二つの比較器の夫々にチャージポンプ１２１からの上記基準電圧が印加される。従って、比較部１３２は、上記基準電圧の電圧レベルが上記第１電圧と第２電圧の電圧レベルの間にあるかどうかを比較し、映像信号の異常の可否を判断する。
【００４０】
すなわち、比較部１３２は、上記基準電圧の電圧レベルが上記第１電圧と第２電圧の電圧レベルの間にある場合には正常状態と判断し、映像信号ＭＳｙｎｃが正常状態であることを知らせるロー(ｌｏｗ)レベルの異常動作信号ＯＲＧを同期化制御部１３３に伝達し、上記基準電圧の電圧レベルが上記第１電圧と第２電圧の電圧レベル範囲外にあると異常状態と判断し、映像信号ＭＳｙｎｃが異常状態であることを知らせるハイ(Ｈｉｇｈ)レベルの異常動作信号ＯＲＧを同期化制御部１３３に伝達する。
【００４１】
同期化制御部１３３は、第１から第３論理回路Ｌ１からＬ３と、第１及び第２論理積ゲートａ１、ａ２と、第１及び第２インバータｉｎｖ１、ｉｎｖ２を含む。
【００４２】
第１論理回路Ｌ１は予め設定された周期を有するクロック信号ＢＣＫの入力を受けるＣＫ端子と、初期化部１３１からの動作準備信号ＣＬＫ＿ＲＤＹの入力を受けるＤ端子及びＣＬ端子と、クロック信号ＢＣＫと動作準備信号ＣＬＫ＿ＲＤＹを論理演算し、制御開始を知らせる制御開始信号ＣＫＥＮを第２及び第３論理回路Ｌ２、Ｌ３に出力するＱ端子を具備する。
【００４３】
クロック信号ＢＣＫは予め設定された周期を有し、クロック信号ＢＣＫの周期により第２及び第３論理回路Ｌ２、Ｌ３の制御動作が速くなることもまたは遅くなることもできる。  
【００４４】
第２論理回路Ｌ２は、第１論理積ゲートａ１からの論理積演算された結果の入力を受けるＤ端子と、第１インバータｉｎｖ１により反転されたクロック信号ＢＣＫの入力を受けるＣＫ端子と、第１論理回路Ｌ１からの制御開始信号ＣＫＥＮの入力を受けるＣＬ端子と、第１論理積ゲートａ１からの論理積演算された結果と、反転されたクロック信号ＢＣＫと、制御開始信号ＣＫＥＮを論理演算し異常動作結果信号ＤＥＴ＿ＯＲＧを第３論理回路Ｌ３に伝達するＱ端子と、反転された異常動作結果信号ＤＥＴ＿ＯＲＧを第２論理積ゲートａ２に出力するＱ'端子を含む。
【００４５】
すなわち、第２論理回路Ｌ２は、クロック信号ＢＣＫのフォーリング・エッジ(Ｆａｌｌｉｎｇ  Ｅｄｇｅ)に、映像信号の異常を検出して異常動作結果信号ＤＥＴ＿ＯＲＧを第３論理回路に伝達し、反転された異常動作結果信号ＤＥＴ＿ＯＲＧを第２論理積ゲートａ２に伝達する。
【００４６】
第２論理ゲートａ２は、反転された異常動作結果信号ＤＥＴ＿ＯＲＧと動作準備信号ＣＬＫ＿ＲＤＹを論理積演算し、周波数検出部１１０の充放電制御を中断または再開させる動作制御信号ＰＬＬ＿ＲＤＹを出力する。
【００４７】
第２論理ゲートａ２からの動作制御信号ＰＬＬ＿ＲＤＹは、チャージポンプ１２１の充放電を制御する充放電制御信号を出力する周波数検出部１１０の複数の論理積素子に夫々伝達され、動作制御信号ＰＬＬ＿ＲＤＹがロー(ｌｏｗ)レベルである場合、チャージポンプ１２１の充放電制御が中断され、動作制御信号ＰＬＬ＿ＲＤＹがハイ(Ｈｉｇｈ)レベルである場合、チャージポンプ１２１の充放電制御が行われる。  
【００４８】
第３論理回路Ｌ３は、第２論理回路Ｌ２からの異常動作結果信号ＤＥＴ＿ＯＲＧの入力を受けるＤ端子と、第２インバータｉｎｖ２により再反転されたクロック信号ＢＣＫの入力を受けるＣＫ端子と、第１論理回路Ｌ１からの制御開始信号ＣＫＥＮの入力を受けるＣＬ端子と、異常動作結果信号ＤＥＴ＿ＯＲＧと、クロック信号ＢＣＫと制御開始信号ＣＫＥＮを論理演算し、周波数検出部１１０の動作をリセットさせるリセット信号ＲＳ＿ＰＬＬを第１論理積ゲートａ１に出力するＱ'端子を含む。
【００４９】
第１論理積ゲートａ１は、リセット信号ＲＳ＿ＰＬＬと異常信号ＯＲＧを論理積演算し、その結果を第２論理回路Ｌ２に伝達する。
【００５０】
第３論理回路Ｌ３は、クロック信号ＢＣＫのライジング・エッジ(Ｒｉｓｉｎｇ  Ｅｄｇｅ)に、映像信号の異常を検出してリセット信号ＲＳ＿ＰＬＬを第１論理積ゲートａ１に伝達し、第１論理積ゲートａ１からの論理積演算結果は第２論理回路Ｌ２に伝達され第２論理回路Ｌ２の動作をリセットさせる。
【００５１】
これによって、動作制御信号ＰＬＬ＿ＲＤＹは、映像信号ＭＳｙｎｃが異常状態である場合、クロック信号ＢＣＫの１番目のフォーリング・エッジに、周波数検出部１１０の充放電制御動作を中断させ、電圧制御オシレータ１２２からの駆動信号がＲＣ発振回路１２４により設定される周波数を有するようにし、クロック信号ＢＣＫの１番目のライジング・エッジに初期化され、クロック信号ＢＣＫの二番目のフォーリング・エッジに周波数検出部１１０の充放電制御動作を再開させ、映像信号ＭＳｙｎｃが異常状態である間上述した動作を繰り返し行う。
【００５２】
上述したように、映像信号ＭＳｙｎｃの周波数が正常周波数の範疇から外れ、速い、或いは遅い異常状態である場合、周波数同期化動作を中断し、駆動信号が予め設定された周波数を有するようにし、映像信号ＭＳｙｎｃが正常状態になるまで周波数同期化動作を中断及び再開してディスプレイ駆動回路を保護することができる。    
【００５３】
以上で説明した本発明は、上述した実施例及び添付された図面により限定されるものではなく、添付の特許請求範囲により限定され、本発明の構成は、本発明の技術的思想を外れない範囲内において、その構成を多様に変更及び改造することができるということは、本発明が属する技術分野において通常の知識を有する者は容易にわかる。
【符号の説明】
【００５４】
１００  ディスプレイ駆動装置
１１０  周波数検出部
１２０  駆動信号生成部
１２１  チャージポンプ
１２２  電圧制御オシレータ
１２３  デバイダ
１２４  ＲＣ発振回路
１３０  制御部
１３１  初期化部
１３２  比較部
１３３  同期化制御部
【図１】
2010128494.tif 000003
【図２】
2010128494.tif 000004
【図３】
2010128494.tif 000005